(57)【特許請求の範囲】
【請求項１】
第１の通信ネットワークからＧＳＭタイプの移動通信ネットワークの一つである遠隔地にある第２の通信ネットワークへ呼び出しを転送する為のシステムに於いて、
前記第１の通信ネットワークと前記第２の通信ネットワークとの間でネット間の接続点の機能を果たし、前記第１の通信ネットワークの領域内に設けられたブリッジヘッドを備え、
前記ブリッジヘッドに割り当てられた前記第１の通信ネットワークの第１呼び出し番号に、第１の通信ネットワークに於いて呼び出し転送を受ける前記第１の通信ネットワークの他の第２呼び出し番号が割り当てられ、
前記第１呼び出し番号が、前記第２呼び出し番号からの呼び出し転送によってアクセスされた場合、前記第１呼び出し番号が、前記ブリッジヘッド内でＧＳＭタイプの第３呼び出し番号に変換され、前記第３呼び出し番号が、前記第２の通信ネットワークの加入者レジスタに回送されて保存され、
前記ブリッジヘッドは、信号転送路及び情報信号路を介して前記第２の通信ネットワークの移動通信サービス変換センタに接続されており、ＧＳＭタイプの前記第２の通信ネットワークの加入者の基本的サービスを提供することを特徴とするシステム。
【請求項２】
前記ブリッジヘッドは、ＧＳＭ標準でＭＡＰプロトコルを利用することができることを特徴とする請求項１に記載のシステム。
【請求項３】
前記第２の通信ネットワークのブリッジヘッドは、ゲートエウィ移動通信サービス変換センタとして機能することを特徴とする請求項１に記載のシステム。
【請求項４】
前記第１の通信ネットワークは、移動通信ネットワークであることを特徴とする請求項１に記載のシステム。
【請求項５】
前記第１の通信ネットワークの領域内の前記ブリッジヘッドは、音声信号を記憶・再生する手段であるヴォイスメールシステムを備えていることを特徴とする請求項１に記載のシステム。
【請求項６】
前記第１及び第２の通信ネットワークからの音声信号は、前記ヴォイスメールシステムに記憶可能であることを特徴とする請求項５に記載のシステム。
【請求項７】
前記ヴォイスメールシステムに記憶された音声信号は、前記第１及び第２の通信ネットワークを介して再生可能であることを特徴とする請求項５に記載のシステム。
【請求項８】
前記第１の通信ネットワークの領域内の前記ブリッジヘッドは、話し言葉を記憶するための音声メモリを備えていることを特徴とする請求項１に記載のシステム。
【請求項９】
前記記憶された話し言葉は、前記第２の通信ネットワークからの信号に応じて、前記第１の通信ネットワークからの呼び出し中に再生可能であることを特徴とする請求項８に記載のシステム。
【請求項１０】
第１の移動通信ネットワークを少なくとも遠隔地にある第２の通信ネットワークによって実質的に拡張する為のシステムに於いて、前記第１及び第２の移動通信ネットワークがそれぞれホーム位置レジスタ（ＨＬＲ）及びヴィジター位置レジスタ（ＶＬＲ）を有し、これらの移動通信ネットワークの一つはＧＳＭタイプの移動通信ネットワークであり、
前記ＧＳＭタイプの移動通信ネットワークへのネット間接続点の機能を果たす、前記第１及び第２の移動通信ネットワーク間のブリッジヘッドを備え、
該ブリッジヘッドは信号伝送及び情報信号路を介して前記ＧＳＭタイプの移動通信ネットワークの移動通信サービスセンタ（ＭＳＣ）に接続されており、
前記第１及び第２の移動通信ネットワークのうち前記ＧＳＭタイプの移動通信ネットワークでない他の移動通信ネットワークの加入者が前記ＧＳＭタイプの移動通信ネットワークの範囲内に存在する場合には、該ブリッジヘッドは当該他の移動通信ネットワークのヴィジター位置レジスタ及び前記ＧＳＭタイプの移動通信ネットワークのホーム位置レジスタとして機能し、
前記ＧＳＭタイプの移動通信ネットワークの加入者が前記他の移動通信ネットワークの範囲内に存在する場合には、該ブリッジヘッドは前記他の移動通信ネットワークのホーム位置レジスタ及び前記ＧＳＭタイプの移動通信ネットワークのヴィジター位置レジスタとして機能することを特徴とするシステム。
【請求項１１】
前記ブリッジヘッドは、移動通信管理プロトコル（Ｍｏｂｉｌｅ Ｍａｎａｇｅｍｅｎｔ Ｐｒｏｔｏｃｏｌ）、移動通信応用部（Ｍｏｂｉｌｅ Ａｐｐｌｉｃａｔｉｏｎ Ｐａｒｔ）を実行することができることを特徴とする請求項１０に記載のシステム。
【請求項１２】
前記ブリッジヘッドには、音声信号を記憶・再生する手段であるヴォイスメールシステムが設けられていることを特徴とする請求項１０又は１１に記載のシステム。
【請求項１３】
前記ＧＳＭタイプの移動通信ネットワーク及び前記他の移動通信ネットワークからの音声信号は、前記ヴォイスメールシステムに記憶可能であることを特徴とする請求項１２に記載のシステム。
【請求項１４】
前記ヴォイスメールシステムに記憶された前記音声信号は、前記ＧＳＭタイプの移動通信ネットワーク及び前記他の移動通信ネットワークを介して呼び出し可能であることを特徴とする請求項１２に記載のシステム。
【請求項１５】
前記ブリッジヘッドは、話し言葉を記憶するための音声メモリを備えていることを特徴とする請求項１０に記載のシステム。
【請求項１６】
前記記憶された話し言葉は、前記他の移動通信ネットワークからの信号に依拠して前記ＧＳＭタイプの移動通信ネットワークからの呼び出し中に、又はこれとは逆の態様で再生可能であることを特徴とする請求項１５に記載のシステム。
【発明の詳細な説明】
【０００１】
【発明の属する技術分野】
本発明は、第１の通信ネットワークからＧＳＭ（広域移動通信）タイプの移送通信ネットワークの一つである第２の遠隔地にある通信ネットワークへ呼び出しを転送する為のシステムに関する。
【０００２】
本発明はまた、ＧＳＭタイプの移送通信ネットワークの一つである少なくとも遠隔地にある第２の通信ネットワークによって移動通信ネットワークを実質的に拡張する為のシステムに関する。
【０００３】
【従来の技術】
ヨーロッパテレ通信標準協会（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ，  ＥＴＳＩ）により標準化されたＧＳＭタイプのデジタル移動通信ネットワークは、ヨーロッパのほとんど全ての国々で、また東ヨーロッパ諸国やアジア・アフリカ諸国、さらにはオーストラリア等の多数の国々で既に実施又は実施予定となっている。
【０００４】
ＧＳＭ標準の重要な特徴は、加入者が一のＧＳＭ移動通信ネットワークで他のＧＳＭネットワークのサービスを一時使用者として利用すること（国際ローミング、Ｉｎｔｅｒｎａｔｉｏｎａｌ  Ｒｏａｍｉｎｇ）ができる点である。しかしこうしたことが可能なためには、関係する移動通信ネットワークの運営者当事者同士が契約を取り交わしていることが前提となる。従って一般的に、非ＧＳＭ標準の移動通信ネットワークに加入している者が、ＧＳＭ移動通信ネットワークやその他の移動通信ネットワークのサービスを利用することは不可能であった。
【０００５】
【発明が解決しようとする課題】
本発明の目的は、ＧＳＭ移動通信ネットワークを利用可能とすることで、ＧＳＭ標準で作動しない移動通信ネットワークを実質的に拡張することにある。
【０００６】
上記目的は、第１の通信ネットワークとＧＳＭネットワーク（遷移ネットワーク、ｔｒａｎｓｉｔｉｏｎ  ｎｅｔｗｏｒｋ）の一つとの間でネット間の接続ポイントとして機能するブリッジヘッドを第１の通信ネットワークに設け、該第１の通信ネットワークの呼び出し番号がブリッジヘッドに割り当てられ、第１の通信ネットワークのさらに他の呼び出し番号が呼び出し転送によりブリッジヘッドに割り当て可能とされることにより解決される。前記ブリッジヘッドに於いては、ＧＳＭ呼び出し番号への変換も行われる。ブリッジヘッドは、信号伝送路及び情報信号路を介して遷移ネットワークの移動通信サービス変換センタ（Ｍｏｂｉｌｅ  Ｓｅｒｖｉｃｅｓ  Ｓｗｉｔｃｈｉｎｇ  Ｃｅｎｔｅｒ，  ＭＳＣ）に接続されており、ＧＳＭ移動通信ネットワークの加入者用の基本サービスをも提供する。
【０００７】
本発明に係るシステムは、他の移動通信ネットワークの加入者がＧＳＭ移動通信ネットワークを利用することを可能にするとともに、ネットワーク運営当事者がいわゆるローミング契約を締結していることを前提に、何ら追加的な要件を要求されるれることなく全てのＧＳＭ移動通信ネットワークを使用することを可能にする。
【０００８】
本発明の好適な実施例に於いては、第１の通信ネットワークに於いて呼び出し転送することにより、ブリッジヘッドに於ける呼び出し転送によって到達可能な呼び出し番号にＧＳＭ呼び出し番号が割り当てられる。これは、本発明に従いサービスを登録することにより可能となる。対応する該ＧＳＭ呼び出し番号は、遷移ネットワークの加入者レジスタ（ホーム位置レジスタ，ＨＬＲ）に回送され保存される。
【０００９】
本発明システムの産業上の重要な用途としては、米国とヨーロッパ又は他のＧＳＭ国との通信が挙げられる。本目的のためには、例えばブリッジヘッドを米国側に設ける必要がある。ここでブリッジヘッドは、直通回線を通じて、例えばドイツのＤ１移動通信ネットワークの一部を形成するヨーロッパのゲートウェイ移動通信サービス変換センタ（Ｇａｔｅｗａｙ  Ｍｏｂｉｌｅ  ＳｅｒｖｉｃｅｓＳｗｉｔｃｈｉｎｇ  Ｃｅｎｔｅｒ，  ＧＭＳＣ）に接続されている。米国からの旅行者は、米国の移動通信運営会社に留守中自己の呼び出し番号を呼び出し転送してブリッジヘッドの番号に割り当てるよう依頼する。こうしてヨーロッパに旅行者している者に対しても通常の呼び出し番号で連絡を取ることができるのである。旅行者は、旅行の出発前、若しくは出発準備を始めるにあったてヨーロッパ滞在中のみ使用することのできる移動通信加入者用呼び出し番号（ＭＳＩＳＤＮ）、即ちヨーロッパＧＳＭネットワークの番号を取得する。また携帯電話をも入に手れるのである。従って旅行者に対しては、彼の現滞在場所を申し出ることなくいつも通りの呼び出し番号でアクセスすることができるのである。
【００１０】
また本発明に係るシステムは、更に面倒な手続きを取ることなく、ＧＳＭネットワークの多数のサービスを利用することができ好都合である。接続確立中に信号伝送情報を、データ接続回線を介して交換する必要があるだけである。
【００１１】
本発明に係る更に他の実施例に於いてブリッジヘッドは、ＧＳＭ標準でメッセージ許可プロトコル（Ｍｅｓｓａｇｅ  Ａｕｔｈｅｎｔｉｃａｔｉｏｎ  Ｐｒｏｔｏｃｏｌ，  ＭＡＰ）を使用できるように構成されている。遷移ネットワークのブリッジヘッドは、そのためのゲートウェイ移動通信サービス変換センタ（ＧＭＳＣ）として機能する。
【００１２】
このことは、第１の通信ネットワークが移動通信ネットワークである時には特に好適である。
【００１３】
本発明に係る更に他の実施例に於いてブリッジヘッドは、音声信号を第１の通信ネットワークの領域内で記憶及び再生するための手段（ヴォイスメールシステム）を備えている。第１及び第２の通信システムからの音声信号は、こうしたヴォイスメールシステムに於いて記憶／再生することができる。
【００１４】
このことにより第１の通信ネットワークの加入者とＧＳＭネットワーク一時加入者との通信が、大陸間の時間差等の障害に拘わらず促進されることになる。
【００１５】
更に他の実施例に於いて第１の通信ネットワークのブリッジヘッドは、話し言葉によるメッセージ（ａｎｎｏｕｎｃｅｍｅｎｔ  ｍｅｓｓａｇｅ）が記憶されているスピーチメモリを備えている。このメモリは、呼び出し転送に関する重要な情報について加入者に十分に伝わっていない場合に該情報を加入者に伝える役割を担うものである。記憶されている話し言葉により、加入者は、自己の呼び出しが他の大陸に転送されたこと等の情報を得ることができる。こうして加入者は、呼び出しを続けるべきか止めるべきかについて、電話により伝達すべき内容の重要性を鑑みて決定することができるのである。
【００１６】
上記実施例の記憶された話し言葉は、第１の通信ネットワークからの呼び出しが行われている間、第２の通信ネットワークからの信号に応じてこれを再生することができる。このようにして加入者は、追加的な情報、例えば呼び出し地とＧＳＭ一時加入者の現在地との時差等の情報を得ることができる。ＧＳＭ一時加入者がＧＳＭ移動通信ネットワークの一つにログインするや否や、該加入者の現在位置はＧＳＭネットワークに記憶される。
【００１７】
本発明に係る第１実施例は、第１の通信ネットワークから第２の遠隔地にある通信ネットワークへブリッジヘッドによって呼び出しを転送する為のシステムであって、第１の通信ネットワークの呼び出し番号がブリッジヘッドの割り当てられることを特徴とするシステムに関する。
【００１８】
本発明に係る第２実施例は、ＧＳＭ標準で作動しない移動通信ネットワークをＧＳＭネットワークによって拡張し、またＧＳＭネットワークを非ＧＳＭネットワークによって拡張すること可能にする。
【００１９】
本発明の他の実施例は、第１実施例との関係で既に述べたように、音声信号及び／又は話し言葉を記憶・再生するための手段を開示する。
【００２０】
【課題を解決するための手段】
本発明に従えば、第１の通信ネットワークからＧＳＭタイプの移動通信ネットワークの一つである遠隔地にある第２の通信ネットワークへ呼び出しを転送する為のシステムに於いて、
前記第１の通信ネットワークと前記第２の通信ネットワークとの間でネット間の接続点の機能を果たし、前記第１の通信ネットワークの領域内に設けられたブリッジヘッドを備え、
前記ブリッジヘッドに割り当てられた前記第１の通信ネットワークの第１呼び出し番号に、第１の通信ネットワークに於いて呼び出し転送を受ける前記第１の通信ネットワークの他の第２呼び出し番号が割り当てられ、
前記第１呼び出し番号が、前記第２呼び出し番号からの呼び出し転送によってアクセスされた場合、前記第１呼び出し番号が、前記ブリッジヘッド内でＧＳＭタイプの第３呼び出し番号に変換され、前記第３呼び出し番号が、前記第２の通信ネットワークの加入者レジスタに回送されて保存され、
前記ブリッジヘッドは、信号転送路及び情報信号路を介して前記第２の通信ネットワークの移動通信サービス変換センタに接続されており、ＧＳＭタイプの前記第２の通信ネットワークの加入者の基本的サービスを提供することを特徴とするシステムが提供される。
【００２２】
好ましくは前記ブリッジヘッドは、ＧＳＭ標準でＭＡＰプロトコルを利用することができる。
【００２３】
好ましくは前記第２の通信ネットワークのブリッジヘッドは、ゲートエウィ移動通信サービス変換センタとして機能する。
【００２４】
好ましくは前記第１の通信ネットワークは、移動通信ネットワークである。
【００２５】
好ましくは前記第１の通信ネットワークの領域内の前記ブリッジヘッドは、音声信号を記憶・再生する手段であるヴォイスメールシステムを備えている。
【００２６】
好ましくは前記第１及び第２の通信ネットワークからの音声信号は、前記ヴォイスメールシステムに記憶可能である。
【００２７】
好ましくは前記ヴォイスメールシステムに記憶された音声信号は、前記第１及び第２の通信ネットワークを介して再生可能である。
【００２８】
好ましくは前記第１の通信ネットワークの領域内の前記ブリッジヘッドは、話し言葉を記憶するための音声メモリを備えている。
【００２９】
好ましくは前記記憶された話し言葉は、前記第２の通信ネットワークからの信号に応じて、前記第１の通信ネットワークからの呼び出し中に再生可能である。
【００３０】
本発明に従えば更に、第１の移動通信ネットワークを少なくとも遠隔地にある第２の通信ネットワークによって実質的に拡張する為のシステムに於いて、前記第１及び第２の移動通信ネットワークがそれぞれホーム位置レジスタ（ＨＬＲ）及びヴィジター位置レジスタ（ＶＬＲ）を有し、これらの移動通信ネットワークの一つはＧＳＭタイプの移動通信ネットワークであり、
前記ＧＳＭタイプの移動通信ネットワークへのネット間接続点の機能を果たす、前記第１及び第２の移動通信ネットワーク間のブリッジヘッドを備え、
該ブリッジヘッドは信号伝送及び情報信号路を介して前記ＧＳＭタイプの移動通信ネットワークの移動通信サービスセンタ（ＭＳＣ）に接続されており、
前記第１及び第２の移動通信ネットワークのうち前記ＧＳＭタイプの移動通信ネットワークでない他の移動通信ネットワークの加入者が前記ＧＳＭタイプの移動通信ネットワークの範囲内に存在する場合には、該ブリッジヘッドは当該他の移動通信ネットワークのヴィジター位置レジスタ及び前記ＧＳＭタイプの移動通信ネットワークのホーム位置レジスタとして機能し、
前記ＧＳＭタイプの移動通信ネットワークの加入者が前記他の移動通信ネットワークの範囲内に存在する場合には、該ブリッジヘッドは前記他の移動通信ネットワークのホーム位置レジスタ及び前記ＧＳＭタイプの移動通信ネットワークのヴィジター位置レジスタとして機能することを特徴とするシステムが提供される。
【００３１】
好ましくは前記ブリッジヘッドは、移動通信管理プロトコル（Ｍｏｂｉｌｅ  Ｍａｎａｇｅｍｅｎｔ  Ｐｒｏｔｏｃｏｌ）、移動通信応用部（Ｍｏｂｉｌｅ  Ａｐｐｌｉｃａｔｉｏｎ  Ｐａｒｔ）を実行することができる。
【００３２】
好ましくは前記ブリッジヘッドには、音声信号を記憶・再生する手段であるヴォイスメールシステムが設けられている。
【００３３】
好ましくは前記ＧＳＭタイプの移動通信ネットワーク及び前記他の移動通信ネットワークからの音声信号は、前記ヴォイスメールシステムに記憶可能である。
【００３４】
好ましくは前記ヴォイスメールシステムに記憶された前記音声信号は、前記ＧＳＭタイプの移動通信ネットワーク及び前記他の移動通信ネットワークを介して呼び出し可能である。
【００３５】
好ましくは前記ブリッジヘッドは、話し言葉を記憶するための音声メモリを備えている。
【００３６】
好ましくは前記記憶された話し言葉は、前記他の移動通信ネットワークからの信号に依拠して前記ＧＳＭタイプの移動通信ネットワークからの呼び出し中に、又はこれとは逆の態様で再生可能である。
【００３７】
【発明の実施の形態】
以下、本発明の実施例につき添付図面を参照しつつ説明する。図中、同じ参照番号は、同じ構成要素を指し示すものとする。ただし図２から図５に於ける参照番号１から９は、一連の異なる手続を指し示す為に用いられており、同じ番号が必ずしも同じ手続を示すものとは限らない。
【００３８】
図１では、米国側に設けられたブリッジヘッド１１が示されている。該ブリッジヘッド１１は、鎖線で示された信号伝送路（ｓｉｇｎａｌｉｎｇ  ｃｈａｎｎｅｌｓ）と実線で示された情報信号路（ｉｎｔｅｌｌｉｇｅｎｃｅ  ｓｉｇｎａｌ  ｃｈａｎｎｅｌｓ）とを備えた回線１３を介して米国内の移動通信ネットワークに接続されている。更にブリッジヘッド１１は、信号伝送路及び情報信号路を備えた大西洋横断接続回線１４を介してヨーロッパ、例えばドイツのフランクフルト・アムマインにある移動通信サービス変換センタ（Ｍｏｂｉｌｅ  Ｓｅｒｖｉｃｅｓ  Ｓｗｉｔｃｈｉｎｇ  Ｃｅｎｔｅｒ，  ＭＳＣ）１５に接続されている。該ＭＳＣは、ヴィジター一レジスタ（Ｖｉｓｉｔｏｒ  Ｌｏｃａｔｉｏｎ  Ｒｅｇｉｓｔｅｒ，  ＶＬＲ）を備えている。
【００３９】
移動通信サービス変換センタ（ＭＳＣ）１５は、許可センタ（ａｕｔｈｅｎｔｉｃａｔｉｏｎ  ｃｅｎｔｅｒ）としても機能する仮想ホーム位置レジスタ（Ｖｉｒｔｕａｌ  Ｈｏｍｅ  Ｌｏｃａｔｉｏｎ  Ｒｅｇｉｓｔｅｒ，  ＶＨＬＲ）１７にアクセス可能とされている。ＭＳＣ１５はさらに、ＧＳＭ一時加入者２０が当座割り当てを受けている（ａｌｌｏｃａｔｅｄ）ＭＳＣ１９に、回線１８を介して接続されている。従ってこの移動通信サービス変換センタは、ヴィジター移動通信サービス変換センタＶＭＳＣとも呼ばれる。ＶＭＳＣ１９は、ＭＳＣ１５と同じ移動通信ネットワーク（ここではＤ１ネットワーク）の一部をなし、又ローミング契約に基づき該通信ネットワークと協働する他のＧＳＭ移動通信ネットワークの一部であってもよい。
【００４０】
ヴォイスメールシステム２１及び話し言葉を記憶する音声メモリ２２は、ブリッジヘッド１１に接続されている。移動通信ネットワーク１２内に於いて呼び出し番号は図１に示すような態様を有する。呼び出し番号“＋１ ａｂｃ ｄｅｆｇｈｉｊ”の起呼は、ブリッジヘッドに割り当てられた番号“＋１ ２１２ ｋｌｍｎｏｐｑ”へ転送される。該番号は、Ｄ１通信ネットワークの呼び出し番号、“＋４９ １７１ ｒｓｔｕｖｗｘ”へ変換される。
【００４１】
図２に於いて矢符１は、呼び出しが米国の移動通信ネットワーク１２からブリッジヘッド１１に送られる様子を示している。ブリッジヘッド１１は、呼び掛け信号２をＭＳＣ１５に送り、ＭＳＣ１５は、該呼び掛け信号２を呼び掛け信号３の形で、ＧＳＭ一時加入者のＭＳＩＳＤＮ番号“＋４９  １７１  ｒｓｔｕｖｗｘ”が登録されている仮想ホーム位置レジスタ１７に送る。仮想ＨＬＲ１７はさらに、ＶＭＳＣ１９のヴィジター位置レジスタＶＬＲのアドレスを収容している。参照番号４で示されるように、いわゆるローミング番号（ｒｏａｍｉｎｇ  ｎｕｍｂｅｒ）の問い合わせがＶＭＳＣ１９に送られると、参照番号５で示されるようにローミング番号が仮想ホーム位置レジスタに送られる。次いで該ローミング信号は、参照番号６で示されるように移動通信サービス変換センタ１５へ送られ、参照番号７で示されるようにブリッジヘッド１１に送られる。ここでブリッジヘッド１１は、移動通信サービス変換センタ（参照番号８）、ＶＭＳＣ１９（参照番号９）、最終的にＧＳＭ一時加入者２０に接続するためのルート割り当てを行う。
【００４２】
図３は、図２について説明したのと同じ呼び掛け信号が使用されるケースを示している。しかし仮想ホーム位置レジスタ１７は、ヴィジター位置レジスタのアドレスを収容しておらず、条件付き呼び出しをヴォイスメールシステム２１へ送れとの命令ＣＦＣを有している。この命令は、参照番号４及び５で夫々示されるように、ＭＳＣ１５及びブリッジヘッド１１にも送られる。こうして呼び出しは、音声信号を記録・再生することができるヴォイスメールシステムに送られる。
【００４３】
図４は、ＧＳＭ一時加入者がＤ１ネットワーク以外の移動通信ネットワークを使用する場合の呼び出し転送について示している。この場合に於ける呼び出しの転送は、図２で説明したのと同じようにして行われる。ホーム位置レジスタ１７は、図２で説明したのと同じようにして呼び出しが転送される他のＧＳＭ移動通信ネットワークの仮想位置レジスタのアドレスを収容している。ＧＳＭ一時加入者に対しては、同じ若しくは他のＧＳＭ移動通信ネットワークの固定ネットワーク外から呼び出しが可能となる。またＧＳＭ一時加入者自身も、一時加入している移動通信ネットワークから他の移動通信ネットワーク或いは他の固定通信ネットワークに呼び出しを行うことによって加入者としてのサービスを利用することができる。
【００４４】
ＧＳＭ一時加入者がオフライン状態にあるとき若しくは何らかの理由で連絡が取れない場合には、以下で図５と共に説明するように米国側のヴォイスメールシステム２１に呼び出しの転送を行うことができる。固定ネットワーク３２の加入者３１は、ＧＳＭ一時加入者の呼び出し番号をダイヤルする（図５に於いては図示せず）。該呼び出しは、ゲートウェイＭＳＣ３３を介して仮想位置ホームレジスタ１７へ送られる（矢符１及び２参照）。当然加入者は捕捉できる範囲に存在しないので、ヴィジター位置レジスタアドレス（ＶＬＲ−アドレス）が存在しないことが確認されるだろう。仮想ホーム位置レジスタ１７は、ヴォイスメールシステム２１へ条件付き呼び出し（ｃｏｎｄｉｔｉｏｎａｌ  ｃａｌｌ）を転送せよとの命令を収容している。手続３、４及び５は、図３で説明した手続４、５及び６と同様にして行われる。加入者３１は、ヴォイスメールシステムを使用して伝言を残したり再生したりすることができる。
【００４５】
図６は、管理ユニット３４を有する図１に係るシステムを示している。該ユニット３４は、電話及びファックス回線３５−３９を介して米国の移動通信ネットワーク１２、ブリッジヘッド１１、及びＧＳＭ移動通信ネットワークの加入者管理システム４０に接続されている。いま呼び出しを転送せよとの命令があると、該管理ユニット３４は、関係ネットワーク及び関係ネットワーク装置・部署にこの命令を知らせてこれらを制御する。移動通信ネットワーク１２のブリッジヘッド１１へ呼び出し転送が確立されると、加入者管理システム４０は、ＧＳＭ一時加入者用の呼び出し番号を実行可能とする。ブリッジヘッド１１はこの呼び出し番号を、呼び出し転送によって米国の移動通信ネットワーク１２がアクセスできる呼び出し番号に割り当てる。ＧＳＭ一時加入者の契約が終了するにともないこうした接続は取り消される。
【００４６】
図７及び図８を参照して本発明に係る第２実施例を説明する。夫々参照番号４１及び４１’で示される移動通信ネットワーク、ＰＬＭＮ  Ｘ及びＰＬＭＮ  ＺはＧＳＭ標準に準拠するネットワークではないが、参照番号５１で示される移動通信ネットワークＰＬＭＮ  Ｙは、ＧＳＭタイプのものである。これらのネットワーク間に於いては、ブリッジヘッド６０が設けられている。
【００４７】
図８は、選択された二つのネットワーク間の相互接続を示しており、ＰＬＭＮＸ１はＡＭＰＳタイプのネットワークである。ＰＬＭＮ  Ｘ及びＰＬＭＮ  Ｙの双方は、信号伝送路によって接続されている。
【００４８】
ネットワークＰＬＭＮ Ｘの加入者４５のＨＬＲ４２は、ネットワークＰＬＭＮＸ内に位置している。ブリッジヘッドは、以下の作業を行う。即ちネットワーク１１の該加入者に関する必要なデータ、特に該加入者の移動通信識別番号（Ｍｏｂｉｌｅ Ｉｄｅｎｔｉｆｉｃａｔｉｏｎ Ｎｕｍｂｅｒ， ＭＩＮ）及び移動通信整理番号（Ｍｏｂｉｌｅ Ｓｅｒｉａｌ Ｎｕｍｂｅｒ， ＭＳＮ）をＨＬＭ４２から取り込む。従って、ネットワークＰＬＭＮ Ｘに於いては、該ブリッジヘッドはＶＬＲ６１の役割を果たす。
【００４９】
次にＡＭＰＳ加入者に関する情報は、ＧＳＭ加入者情報に変換され、特にＭＩＮ及びＭＳＮは国際移動通信加入者識別番号（Ｉｎｔｅｒｎａｔｉｏｎａｌ  Ｍｏｂｉｌｅ  ｓｕｂｓｃｒｉｂｅｒ  Ｉｄｅｎｔｉｔｙ，  ＩＭＳＩ）及び移動通信局国際ＩＳＤＮ番号（Ｍｏｂｉｌｅ  Ｓｔａｔｉｏｎ  Ｉｎｔｅｒｎａｔｉｏｎａｌ  ＩＳＤＮ  Ｎｕｍｂｅｒ）に変換される。この変換は、ローカル変換データベースを利用して行われる。
【００５０】
こうしてＧＳＭ加入者情報が、ネットワークＰＬＭＮ  Ｙ５１用のＨＬＲ６２として機能するブリッジヘッド内に作成されるのである。加入者４５がネットワークＰＬＭＮ  Ｙの範囲内に存在する場合には、恰もネットワークＰＬＭＮ  Ｙの加入者のごとくＶＬＲ５３に組み込まれる。該加入者の仮想加入者情報は、ＨＬＲ６２として機能するブリッジヘッドから呼び出される。
【００５１】
ネットワークＰＬＭＮ  Ｙ５１の加入者５５が、ネットワークＰＬＭＮ  Ｘ４１の範囲内に位置するときには、上記とは反対の手順が採られる。該加入者の情報は、ネットワークＰＬＭＮ  ＹのＨＬＭ５２から呼び出されブリッジヘッド（ＶＬＲ６５）に送られる。該ＧＳＭ加入者情報は、ローカル変換データベースによって与えられるＡＭＰＳ加入者情報に変換される。その後、該加入者情報は、ネットワークＰＬＭＮ  Ｘ４１（ＨＬＲ６４）に送られる。加入者５５は、ネットワークＰＬＭＮ  ＸのＶＬＲ５３に組み込まれ、該加入者の情報はブリッジヘッド（ＨＬＲ６４）から呼び出し可能となる。
【００５２】
さらに前記ブリッジ６０は、互換性のないネットワーク４１及び５１間の信号伝送を行うばかりでなく、トラフィック路（ｔｒａｆｆｉｃ  ｃｈａｎｎｅｌｓ）の役割をも担うものである。従ってネットワークＰＬＭＮ  Ｘ及びネットワークＰＬＭＮ  Ｙの操作点（ｏｐｅａｒａｔｉｎｇ  ｐｏｉｎｔｓ）ＧＭＳＣ４４及び５４間は、ブリッジヘッドのプロトコル変換器７６を介して接続されている。変換６８は、異なる伝送システム間で行われ、特にヨーロッパＩＴＵ−Ｔプロトコル（ＰＣＭ３０）から米国のＡＮＳＩプロトコル（ＰＣＭ２４）及びその逆方向への変換が行われる。
【図面の簡単な説明】
【図１】第１実施例に係るシステムとこれに接続された通信ネットワークとの概略を示すブロック線図である。
【図２】  米国移動通信ネットワークとドイツＤ１移動通信ネットワークとの間で呼び出しを転送するための接続の確立について概略的に示す同じ様なシステムのブロック線図である。
【図３】ヴォイスメールシステムへの呼び出し転送を示すブロック線図である。
【図４】  Ｄ１ネットワーク以外の他のＧＳＭ通信ネットワークの加入者への呼び出し転送を示すブロック線図である。
【図５】ヨーロッパの固定電話ネットワークとの接続が確立された状態を示し、ＧＳＭ一時加入者がライン上に存在せず、呼び出しがブリッジヘッドのヴォイスメールシステムへ転送されている状態を示すブロック線図である。
【図６】対応する管理システムを有する第１実施例に係るシステムを示すブロック線図である。
【図７】第２実施例に係る複数の移動通信ネットワーク、ＰＬＭＮ  Ｘ、ＰＬＭＮ  Ｙ及びＰＬＭＮ  Ｚ間のブリッジヘッドを示すブロック線図である。
【図８】選択された二つの移動通信ネットワーク、ＰＬＭＮ  Ｘ及びＰＬＭＮ  Ｙ間に信号伝送及び作動トラフィック（ｏｐｅｒａｔｉｎｇ  ｔｒａｆｆｉｃ）が存在するブリッジヘッドを示すブロック線図である。
【符号の説明】
１１  ブリッジヘッド
１２  移動通信ネットワーク
１３  回線
１４  大西洋横断接続回線
１５  移動通信サービス変換センタ（ＭＳＣ）
１７  仮想ホーム位置レジスタ
２１  ヴォイスメールシステム
【図１】
0003783144.tif 000002
【図２】
0003783144.tif 000003
【図３】
0003783144.tif 000004
【図４】
0003783144.tif 000005
【図５】
0003783144.tif 000006
【図６】
0003783144.tif 000007
【図７】
0003783144.tif 000008
【図８】
0003783144.tif 000009